(57)【要約】      （修正有）【課題】ピアノなどの楽器演奏中などであっても、演奏者自身がその座板位置の調整を迅速かつ安全に行うことができる演奏用座板位置調整椅子を提供する。【解決手段】左右一対のロックピン１６、１６’をロックプレート１５、１５’のステップ溝１５ａに向けて進退させる背部ロックピン操作レバー（上）１７に連接して椅子本体の左右両側に略Ｕ字状に延設された側部ロックピン操作レバー１８等を有するように演奏用座板位置調整椅子を構成する。【選択図】図６
0003172906.tif 000002
【実用新案登録請求の範囲】
【請求項１】
楽器演奏者が座る座板と、前記座板を上下動可能に支持する椅子本体と、前記椅子本体に設けられ前記座板を上下動させる座板昇降機構と、前記座板をピアノ演奏位置に固定する座板位置ロック機構とを備えた演奏用座板位置調整椅子であって、
前記座板位置ロック機構が前記椅子本体に設けられ多数のステップ溝が多数縦長に形成された左右一対のロックプレートと、前記ステップ溝にその先端が拡縮進退される左右一対のロックピンと、前記ロックピンを前記ステップ溝に向けて進退させる前記椅子本体の背後側に設けられた背部ロックピン操作レバーと、前記背部ロックピン操作レバーに連接して椅子本体の左右両側に略Ｕ字状に延設された側部ロックピン操作レバーとを有することを特徴とする演奏用座板位置調整椅子。
【考案の詳細な説明】
【技術分野】
【０００１】
本考案は、楽器演奏者の座る高さ位置の調節が可能な椅子に関し、特にピアノなどの鍵盤楽器を演奏する際に用いて好適な演奏用座板位置調整椅子に関する。
【背景技術】
【０００２】
従来、ピアノなどを演奏するに際してその演奏者の体型に合わせて座部を最も演奏し易い最適位置に調整可能な楽器演奏用の椅子が用いられる。
例えば、特許文献１（実開昭５５−５６１５０号公報）にはその高低自在椅子の高さ調整機構として、細長状板片（リンク）をＸ字状に交差させ、その交点を連結ピンで連結したリンク機構と、複数の凹みを有する高さ規制板とが採用されている。この高さ規制板は、複数の凹みを有して一方のリンクに回動自在に取付けられており、高さ規制板を高さ調整片（操作レバー）によって回動させ、複数の凹みのうちのいずれか１つと脚部側に設けた軸とを係合させることで、リンク機構をロックし座部を所定の高さに保持するようにしている。
【０００３】
さらに特許文献２（特開平８−２４８９４３号公報）における昇降自在椅子の昇降装置は、Ｘ字状に交差するリンク機構と、支脚に取付けられた複数のラック溝を有する昇降ラックと、座板に取付けられたロック部材とを備え、このロック部材を前記昇降ラックのラック溝に係合させることで前記座板が所定の高さに保持される。このリンク機構には、昇降操作装置を通常ロックし、座板の高さ調整時にロック状態を解除するためのロックレバーを備えている。
【０００４】
また特許文献３（実開平５−６３３３０号公報）には、その脚柱を構成して互いに嵌合する外筒と内筒の摺動方向に凹状部をそれぞれ設け、この凹状部同士をロック部片を介して緊締して摺動方向及び左右方向のガタ付きを防止するようにした机や椅子などの脚柱の昇降機構が記載されている。
【先行技術文献】
【特許文献】
【０００５】
【特許文献１】実開昭５５−５６１５０号公報
【特許文献２】特開平８−２４８９４３号公報
【特許文献３】実開平５−６３３３０号公報
【考案の概要】
【考案が解決しようとする課題】
【０００６】
しかしながら、特許文献１，２に記載されたような高低自在椅子は、金属製の操作レバーと固定指片を椅子の後部にその一部を後方に突出させて取り付けているため、演奏者自身が座ったままでその座板の高さを調整する際には後ろ手で操作レバーを把持する体をよじった姿勢を取らざるを得ず、その操作部を視認することができない。このため、調整操作に手間取るとともに、操作レバーの操作時に指が操作レバーの操作部と固定指片との間に挟まると思わぬ怪我をさせてしまうという問題もあった。
さらに、特許文献３の昇降機構を備えた椅子などでは、椅子それぞれ４本の脚柱部分に外筒と内筒からなる二重筒スライド構造を備えるため、４つのロック部片それぞれを操作しなければならず、微妙かつ迅速な椅子高さの調整操作を行うことは極めて困難である。
【０００７】
本考案は、上記した従来の問題を解決するためになされたもので、その座板位置の調整を迅速かつ安全に行うことができる演奏用座板位置調整椅子を提供することを目的とする。
【課題を解決するための手段】
【０００８】
前記課題を解決するため、本考案の演奏用座板位置調整椅子は、楽器演奏者が座る座板と、前記座板を上下動可能に支持する椅子本体と、前記椅子本体に設けられ前記座板を上下動させる座板昇降機構と、前記座板をピアノ演奏位置に固定する座板位置ロック機構とを備えた演奏用座板位置調整椅子であって、前記座板位置ロック機構が前記椅子本体に設けられ多数のステップ溝が多数縦長に形成された左右一対のロックプレートと、前記ステップ溝にその先端が拡縮進退される左右一対のロックピンと、前記ロックピンを前記ステップ溝に向けて進退させる前記椅子本体の背後側に設けられた背部ロックピン操作レバーと、前記背部ロックピン操作レバーに連接して椅子本体の左右両側に略Ｕ字状に延設された側部ロックピン操作レバーとを有するように構成される。
【考案の効果】
【０００９】
本考案によれば、左右一対のロックピンをステップ溝に向けてスライド進退させる椅子本体の背後側に設けられた背部ロックピン操作レバーと、前記背部ロックピン操作レバーに連接して椅子本体の左右両側に略Ｕ字状に延設された側部ロックピン操作レバーとを有するので、演奏者はその左右両側に設けられた側部ロックピン操作レバーを容易に操作して、その座板位置の調整を迅速かつ安全に行うことができる。
【図面の簡単な説明】
【００１０】
【図１】実施例に係る演奏用座板位置調整椅子の全体斜視図である。
【図２】実施例に係る演奏用座板位置調整椅子の正面図である。
【図３】実施例に係る演奏用座板位置調整椅子の平面図である。
【図４】実施例に係る演奏用座板位置調整椅子の側面図である。
【図５】実施例に係る演奏用座板位置調整椅子の座板位置ロック機構の斜視図である。
【図６】実施例に係る座板位置ロック機構の構成を示す斜視図である。
【図７】実施例に係る座板位置ロック機構の動作説明図である。
【考案を実施するための形態】
【００１１】
本考案の一実施形態に係る演奏用座板位置調整椅子は、楽器演奏者が座る座板と、前記座板を上下動可能に支持する椅子本体と、前記椅子本体に設けられ前記座板を上下動させる座板昇降機構と、前記座板を楽器演奏位置に固定する座板位置ロック機構とを備えた演奏用座板位置調整椅子であって、前記座板位置ロック機構が前記椅子本体に設けられ多数のステップ溝が多数縦長に形成された左右一対のロックプレートと、前記ステップ溝にその先端がスライドして拡縮進退される左右一対のロックピンと、前記ロックピンを前記ステップ溝に向けて進退させる前記椅子本体の背後側に設けられた背部ロックピン操作レバーと、前記背部ロックピン操作レバーに連接して椅子本体の左右両側に略Ｕ字状に延設された側部ロックピン操作レバーとを有する。
【００１２】
これによって、座板に座った姿勢のままで、その左右両側に設けられた側部ロックピン操作レバーを容易に操作して、座板位置の調整を迅速かつ安全に行うことができる。
すなわち、従来の背もたれ式の楽器演奏用椅子などでは座面昇降用のストッパー摘みが後ろ（背もたれ側）にのみあった。このため、座面の高さを調節する場合は、いちいち椅子から降りて、後ろに廻って摘みをもって上下させる必要があった。
本考案の演奏用座板位置調整椅子では、その摘みと連結させたレバーを椅子の座面の左右の設け、そのレバーの押し下げ、引き上げをすることで座ったままで座面位置を昇降させることができる。
【００１３】
演奏用座板位置調整椅子は、ピアノやエレクトーン、キーボードなどの鍵盤楽器を演奏するときに演奏者が腰掛けて使用するための木製やスチール製などの椅子であって、その演奏者の背部に背もたれ部を備えた形態のものや、背もたれのない略直方体状のものなどに適用される。
この演奏用座板位置調整椅子は、演奏者が座る座板、座板を上下動可能に支持する椅子本体、座板を上下動させる座板昇降機構、座板をピアノ演奏位置に固定する座板位置ロック機構とで構成される。
そして、座板位置ロック機構は、左右一対のロックプレート、ロックプレートのステップ溝にその先端が拡縮進退される左右一対のロックピン、椅子本体の背後側に設けられた背部ロックピン操作レバー、背部ロックピン操作レバーに連接して椅子本体の左右両側に延設された側部ロックピン操作レバーとを有する。
【００１４】
ピアノ演奏者などが座る座板は、Ｘリンクなどの座板昇降機構を介して椅子本体に取り付けられ、その座板の高さを調整可能に支持されている。
座板昇降機構は、バネなどの弾性体による付勢機構や、演奏者により操作されるネジスライド機構、電動モータ機構などの駆動源により動作される。
【００１５】
座板位置ロック機構は、演奏者が座る座板をその最適演奏位置に固定するための機構であって、多数のステップ溝が多数縦長に形成された左右一対のロックプレート、ステップ溝にその先端が拡縮進退される左右一対のロックピン、ロックピンをステップ溝に向けて進退させる椅子本体の背後側に設けられた背部ロックピン操作レバー、背部ロックピン操作レバーに連接して椅子本体の左右両側に略Ｕ字状に延設された側部ロックピン操作レバーとを有する。
【００１６】
左右一対のロックプレートは、椅子本体の左右両サイド側にそれぞれ対向して設けられ、多数のステップ溝が多数縦長段階状に形成されている。
【００１７】
ロックピンは、ロックプレートのステップ溝にその先端がスライドして拡縮進退されて前記ロック溝に嵌合する左右一対の係合部材である。
椅子本体後部に突出して設けられた背部ロックピン操作レバーを演奏者などが上下動させることによって、そのロック状態をオンオフ操作することができるようになっている。
【００１８】
背部ロックピン操作レバーは、前記ロックピンを前記ステップ溝に向けて進退させるためのＬ字状リンク（ベルクランク）などを含むピン伸縮機構に連接されており、前記椅子本体の背後側に突出して、もしくは、背後側に突出させることなく設けることができる。
【００１９】
側部ロックピン操作レバーは、背部ロックピン操作レバーのピン伸縮機構に連接して椅子本体の左右両側に略Ｕ字状に延設される棒状レバーである。
これによって、演奏者が座ったままの姿勢で容易に操作することを可能とするものである。すなわち、従来のロック機構には椅子本体の後部に小さな操作レバーしかなく、椅子の昇降をする際には椅子を降り後ろに廻ってこのレバーを操作しなくてはならなかったが、本考案の演奏用座板位置調整椅子では座ったままの姿勢であっても、その座板位置の調整を容易にしたものである。
【００２０】
（実施例）
以下、本考案の実施例について、図面を参照しながら具体的に説明する。
図１は実施例に係る演奏用座板位置調整椅子の全体斜視図である。図２〜図４はそれぞれ演奏用座板位置調整椅子の平面図、正面図、側面図である。
図示するように、本実施例における演奏用座板位置調整椅子１０は、ピアノ演奏者などが座る座板１１と、座板１１を上下動可能に支持するための脚部及び背もたれ部１２ａを備えた椅子本体１２と、脚部１２ｂを有する椅子本体１２に設けられ座板１１を上下動させるＸ状リンクを有した座板昇降機構１３と、座板１１をピアノ演奏者の演奏位置に固定するための座板位置ロック機構１４と、を備える。なお、図１においては背もたれ部１２ａの上方を省略して示している。
【００２１】
座板昇降機構１３は、矩形板状の座板１１の下面と、椅子本体１２の脚部との間に左右に対向して架け渡されたＸ字状リンク機構などから構成されている。
このリンク機構を構成する２枚の細長の板状である２枚のリンク板は、棒状のリンク軸で交差角度が自在に変わるように連結される。
各リンク板の上端及び下端は、座板１１及び椅子本体１２に水平方向で設けられたスライド溝に嵌合してＸ字状に交差したリンク板の交差角度を変えることにより、椅子本体１２に対する座板１１の高さ位置が規定されるようになっている。
【００２２】
このような座板１１の高さを、演奏者に適した演奏位置で固定するための座板位置ロック機構１４は、図５、図６、図７に示されるように、椅子本体１２に設けられ、多数のステップ溝１５ａが多数縦長に形成された左右一対のロックプレート１５、１５’と、Ｌ字状リンクを形成するベルクランク１８ｂを介して、ステップ溝１５ａにその先端がそれぞれ水平方向にスライドして拡縮進退される、左右一対のロックピン（スライダーともいう）１６、１６’と、ロックピン１６、１６’を左右のステップ溝１５ａに向けて進退させるための椅子本体１２の背後側に設けられた背部ロックピン操作レバー（上）１７、背部ロックピン操作レバー（下）１７ａと、背部ロックピン操作レバー（上）１７に連接して椅子本体１２の左右両側に略Ｕ字状に延設された側部ロックピン操作レバー１８、１８’と、を有して構成されている。
【００２３】
以下、演奏用座板位置調整椅子１０における座板１１の昇降調整操作について、図５〜図７を参照しながらその動作手順に従って説明する。
まず、演奏者は座板１１に座ったまま、椅子本体１２の左右両側にある側部ロックピン操作レバー１８、１８’を上方に引き上げる。これにより、側部ロックピン操作レバー１８、１８’がレバー支点ブラケット１８ａを中心に旋回される。
こうして、全体が略Ｕ字状に形成された側部ロックピン操作レバー１８、１８’の基部に延設された操作レバー中間部１８ｃが押し下げられるとともに（図７の動作説明１）、背部ロックピン操作レバー（上）１７が下方に押し下げられる。
【００２４】
このような側部ロックピン操作レバー１８、１８’と背部ロックピン操作レバー（上）１７とに連動して、全体がＬ字状に形成されたベルクランク１８ｂの一方の端が押し下げられ（図７の動作説明２）、ベルクランク１８ｂの他方の端が椅子中央に向かい回転する（図７の動作説明３）。これによって、ロックピン１６、１６’が椅子本体１２の中央に向かってスライド移動して、ロックピン１６、１６’の外側の爪が鋸歯状に形成されたステップ溝１５ａの段差から外れる（図７の動作説明４）。
これにより、ピアノ椅子の座部が、椅子本体の位置決めが解除されて、座板昇降機構１３を介した座板１１の昇降操作が可能となる。
【００２５】
なお、背部ロックピン操作レバー（上）１７を、従来のように必要に応じて用いて、ロック操作を行うこともできる。この背部ロックピン操作レバー（上）１７による動作機構は、従来のピアノ椅子によるものと類似したものである。
【００２６】
以上説明したように、従来の演奏用座板位置調整椅子では、操作レバーの後部に設けられた小さなレバーしかなく、椅子の昇降をする際には、椅子を降り後ろに回ってレバー操作しなければならない。
しかし、側部ロックピン操作レバー１８、１８’を備えた座板位置ロック機構１４を適用した本実施例の演奏用座板位置調整椅子１０では、ピアノ演奏者が座ったままの姿勢で、側部ロックピン操作レバー１８、１８’を操作することができ、座板１１の昇降調整を容易に行うことが可能である。
【００２７】
本考案は、椅子本体の背部ロックピン操作レバーに連接して、椅子本体の左右両側に側部ロックピン操作レバーを設けたことを要旨とするものであり、これによって、演奏中であっても、演奏者自身がその座板位置の調整を迅速かつ安全に行うことが可能な演奏用座板位置調整椅子を提供することを目的としたものである。
【産業上の利用可能性】
【００２８】
本考案の演奏用座板位置調整椅子は、ピアノなどの楽器演奏用の他にも、例えば、各種椅子の天板である座板部の高さ調整、足乗台のある踏み板の高さ調整、テーブルの天板の高さ調整等、各種構造の天板の高さ調整などの手段として用いることが可能であり、広くてきようできる汎用性を有しており、産業上の利用可能性が極めて高い。
【符号の説明】
【００２９】
１０    演奏用座板位置調整椅子
１１    座板
１２    椅子本体
１２ａ    背もたれ部
１２ｂ    脚部
１３    座板昇降機構
１４    座板位置ロック機構
１５、１５’    ロックプレート
１５ａ    ステップ溝
１６、１６’    ロックピン（スライダー）
１７    背部ロックピン操作レバー（上）
１７ａ    背部ロックピン操作レバー（下）
１８、１８’    側部ロックピン操作レバー
１８ａ    レバー支点ブラケット
１８ｂ    ベルクランク（Ｌ字状リンク）
１８ｃ    操作レバー中間部
【図２】
0003172906.tif 000003
【図３】
0003172906.tif 000004
【図４】
0003172906.tif 000005
【図１】
0003172906.tif 000006
【図５】
0003172906.tif 000007
【図６】
0003172906.tif 000008
【図７】
0003172906.tif 000009